(57)【要約】  停電発生時にエレベーターの扉を安全に戸閉させ、且つ救助作業者に余分な負担をかけることを防止できるエレベーターのドア制御装置を提供する。この発明に係るエレベーターのドア制御装置は、エレベーターの扉が中間位置にある状態で停電が発生した場合に、戸全閉が検出されるまでの間はドアモータ（２）のダイナミックブレーキ制御を実施し、戸全閉が検出されるとダイナミックブレーキ制御を解除するドアダイナミックブレーキ制御回路（１５）、を備える。
2020110176.tif 000002
【特許請求の範囲】
【請求項１】
エレベーターの扉が中間位置にある状態で停電が発生した場合に、戸全閉が検出されるまでの間はドアモータのダイナミックブレーキ制御を実施し、戸全閉が検出されるとダイナミックブレーキ制御を解除するドアダイナミックブレーキ制御回路、
を備えたエレベーターのドア制御装置。
【請求項２】
前記ドアモータに交流電力を供給するインバーター回路を停電発生時に停止させ、ダイナミックブレーキ制御が開始されてから戸全閉が検出されるまでの間に停電復旧した場合にはダイナミックブレーキ制御が解除されるまで前記インバーター回路を再始動しないドア制御回路、
を更に備えた請求項１に記載のエレベーターのドア制御装置。
【請求項３】
前記ドアダイナミックブレーキ制御回路は、既設の非常用制御回路内に設けられた請求項１又は請求項２に記載のエレベーターのドア制御装置。
【請求項４】
前記ドアダイナミックブレーキ制御回路は、運転モード切換スイッチが保守モード時の状態である場合にはダイナミックブレーキ制御を実施しない請求項１から請求項３のいずれか１項に記載のエレベーターのドア制御装置。
【発明の詳細な説明】
【技術分野】
【０００１】
この発明は、エレベーターのドア制御装置に関する。
【背景技術】
【０００２】
エレベーターの扉が中間位置にある状態で停電が発生すると、扉が急速に戸閉する現象が生じ得る。例えば、特許文献１には、停電発生時にドアモータを減速制御する技術が開示されている。
【先行技術文献】
【特許文献】
【０００３】
【特許文献１】日本特開平１１−２１０５２号公報
【発明の概要】
【発明が解決しようとする課題】
【０００４】
停電発生時にエレベーターの扉を低速で戸閉させるために、例えば、ドアモータのダイナミックブレーキ制御を実施することが考えられる。しかしながら、ダイナミックブレーキ制御が実施されている場合、扉を手動で開けることが困難となり得る。この場合、扉の全閉後にかご内閉じ込め救出作業を行う救助作業者の負担が増大する。【０００５】
この発明は、上記の課題を解決するためになされた。その目的は、停電発生時にエレベーターの扉を安全に戸閉させ、且つ救助作業者に余分な負担をかけることを防止できるエレベーターのドア制御装置を提供することである。
【課題を解決するための手段】
【０００６】
この発明に係るエレベーターのドア制御装置は、エレベーターの扉が中間位置にある状態で停電が発生した場合に、戸全閉が検出されるまでの間はドアモータのダイナミックブレーキ制御を実施し、戸全閉が検出されるとダイナミックブレーキ制御を解除するドアダイナミックブレーキ制御回路、を備える。
【発明の効果】
【０００７】
この発明によれば、戸全閉が検出されるまでの間はダイナミックブレーキ制御が実施され、戸全閉が検出されるとダイナミックブレーキ制御が解除される。このため、停電発生時にエレベーターの扉を安全に戸閉させ、且つ救助作業者に余分な負担をかけることを防止できる。
【図面の簡単な説明】
【０００８】
【図１】実施の形態１におけるエレベーターのドア制御装置を示す全体構成図である。
【図２】実施の形態１におけるドア制御装置の停電発生時における各電源及び信号のタイミングチャートである。
【図３】実施の形態１におけるドア制御装置の停電復旧時における各電源及び信号のタイミングチャートである。
【図４】実施の形態２におけるエレベーターのドア制御装置を示す全体構成図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、実施の形態１におけるエレベーターのドア制御装置を示す全体構成図である。
【００１１】
ドア制御装置は、通常時に動力電源１から電力の供給を受け、ドアモータ２に電力を供給する。ドアモータ２は、エレベーターのかごの扉を開閉させる。ドアモータ２としては、例えば、ＰＭモータが用いられる。
【００１２】
ドア制御装置は、コンバーター回路３、平滑電解コンデンサー４、インバーター回路５、ドア制御回路６、戸全閉検出回路７、ドア制御電源８、停電検出回路９、非常用バッテリー１０、非常用制御電源１１、切換回路１２、短絡回路１３及び非常用制御回路１４を備える。非常用バッテリー１０は、例えば、制御盤内に設けられている。
【００１３】
非常用制御回路１４は、ドアダイナミックブレーキ制御回路１５を備える。
【００１４】
非常用制御回路１４は、例えば、停電灯制御回路１６を備える。非常用制御回路１４は、例えば、インターホン制御回路１７を備える。
【００１５】
インバーター回路５は、ドアモータ２に交流電力を供給する。ドア制御回路６は、通常時にインバーター回路５を介してドアモータ２を制御する。
【００１６】
戸全閉検出回路７は、エレベーターのかごの扉が戸全閉の状態であるか否かを検出する。
【００１７】
ドア制御回路６及び戸全閉検出回路７は、通常時にドア制御電源８から電力の供給を受ける。
【００１８】
停電検出回路９は、例えば、停電発生時に通常時の動力電源１が消失したことを検出する。
【００１９】
切換回路１２は、ドア制御回路６及び戸全閉検出回路７の電力供給源を通常時のドア制御電源８から非常用制御電源１１へ切り換える機能を有する。
【００２０】
短絡回路１３は、例えば、ドアモータ２の相間を短絡させる機能を有する。
【００２１】
停電灯制御回路１６及びインターホン制御回路１７は、例えば、停電検出回路９によって動力電源１の電源消失が検出された場合に動作する。停電灯制御回路１６は、停電時などにかご内の停電灯１８を駆動制御する。インターホン制御回路１７は、停電時などにかご内のインターホン１９を駆動制御する。
【００２２】
図２は、実施の形態１におけるドア制御装置の停電発生時における各電源及び信号のタイミングチャートである。
【００２３】
ドア制御回路６は、停電検出回路９によって動力電源１の電源消失が検出されると、インバーター回路５を停止させる。このように、停電発生直後にインバーター回路５を停止させて平滑電解コンデンサー４の負荷を減らすことにより、ドア制御電源８は数秒間消失しない。
【００２４】
ドア制御回路６は、停電検出回路９によって動力電源１の電源消失が検出されると、扉位置の判定を行う。扉位置の判定とは、戸全閉検出回路７によって戸全閉状態が検出されているか否かを判定することである。戸全閉状態が検出されていないということは、扉が中間位置にあることを意味する。扉位置の判定は、動力電源１が消失してからドア制御電源８が消失するまでの間に行われる。
【００２５】
扉位置の判定の時点で戸全閉状態が検出されていない場合、ドア制御回路６は、切換回路１２に停電発生時切換信号を送信し、非常用制御回路１４内のドアダイナミックブレーキ制御回路１５にダイナミックブレーキ駆動指令信号を送信する。
【００２６】
ドア制御回路６は、例えば、停電発生時切換信号の送信及びダイナミックブレーキ駆動指令信号の送信を同時に行う。
【００２７】
なお、扉位置の判定の時点で戸全閉状態が検出されている場合、ドア制御回路６は、切換回路１２に停電発生時切換信号を送信せず、非常用制御回路１４内のドアダイナミックブレーキ制御回路１５にダイナミックブレーキ駆動指令信号を送信しない。
【００２８】
切換回路１２は、ドア制御回路６から停電発生時切換信号を受信すると、ドア制御電源８からドア制御回路６及び戸全閉検出回路７への電力供給を遮断する。
【００２９】
ドアダイナミックブレーキ制御回路１５は、ドア制御回路６からダイナミックブレーキ駆動指令信号を受信すると、切換回路１２に停電中切換信号を送信する。切換回路１２は、ドアダイナミックブレーキ制御回路１５から停電中切換信号を受信すると、非常用制御電源１１からドア制御回路６及び戸全閉検出回路７への電力供給を開始させる。
【００３０】
ドアダイナミックブレーキ制御回路１５は、ドア制御回路６からダイナミックブレーキ駆動指令信号を受信すると、短絡回路１３を動作させることでドアモータ２の相間を短絡させる。これにより、ドアモータ２のダイナミックブレーキ制御が開始される。
【００３１】
ドアダイナミックブレーキ制御回路１５は、例えば、停電中切換信号の送信及び短絡回路１３の動作開始を同時に行う。
【００３２】
ドアダイナミックブレーキ制御回路１５は、例えば、短絡回路１３の動作開始後に、ドア制御回路６に対してダイナミックブレーキ駆動中信号の送信を開始する。
【００３３】
ドアモータ２のダイナミックブレーキ制御により、扉は低速にて戸閉動作する。その後、戸全閉検出回路７によって戸全閉状態が検出されると、ドアダイナミックブレーキ制御回路１５は、切換回路１２及び短絡回路１３の動作を解除させ、ドア制御回路６へのダイナミックブレーキ駆動中信号の送信を停止する。
【００３４】
図３は、実施の形態１におけるドア制御装置の停電復旧時における各電源及び信号のタイミングチャートである。
【００３５】
図３は、停電発生によりドアダイナミックブレーキ制御が開始された後であり且つ戸全閉状態が検出される前の時点で停電復旧した場合を示す。
【００３６】
図３に示すタイミングで停電復旧した場合であっても、ドアダイナミックブレーキ制御回路１５は、戸全閉検出回路７によって戸全閉状態が検出されるまでダイナミックブレーキ制御を継続させる。ドアダイナミックブレーキ制御回路１５は、戸全閉検出回路７によって戸全閉状態が検出されるまでダイナミックブレーキ駆動中信号の送信を継続する。ドア制御回路６は、ダイナミックブレーキ駆動中信号が停止するまでインバーター回路５を再始動させない。
【００３７】
その後、ドアダイナミックブレーキ制御回路１５は、戸全閉検出回路７によって戸全閉状態が検出されると、ダイナミックブレーキ制御を解除する。ドアダイナミックブレーキ制御回路１５は、戸全閉検出回路７によって戸全閉状態が検出されると、ダイナミックブレーキ駆動中信号の送信を停止する。ドア制御回路６は、ダイナミックブレーキ駆動中信号が停止すると、インバーター回路５を再始動させる。これにより、ドア制御装置は、通常の戸開閉動作モードに復旧する。
【００３８】
なお、扉が全閉状態であり且つドアダイナミックブレーキ制御回路１５がダイナミックブレーキ制御を実施していない状態で停電が復旧した場合は、通常と同様にドア制御装置が起動する。
【００３９】
以上で説明した実施の形態１によれば、ドアダイナミックブレーキ制御回路１５は、エレベーターの扉が中間位置にある状態で停電が発生した場合に、戸全閉が検出されるまでの間はドアモータ２のダイナミックブレーキ制御を実施し、戸全閉が検出されるとダイナミックブレーキ制御を解除する。このため、停電発生時にエレベーターの扉を安全に戸閉させ、且つ救助作業者に余分な負担をかけることを防止できる。
【００４０】
また、ドア制御回路６は、ドアモータ２に交流電力を供給するインバーター回路５を停電発生時に停止させ、ダイナミックブレーキ制御が開始されてから戸全閉が検出されるまでの間に停電復旧した場合にはダイナミックブレーキ制御が解除されるまでインバーター回路５を再始動しない。このため、迅速に停電復旧した場合であっても、扉が一旦完全に閉まるまでは通常の戸開閉動作ではなくダイナミックブレーキ制御が行われる。その結果、確実に安全性を向上させることができる。
【００４１】
また、ドアダイナミックブレーキ制御回路１５は、例えば、既設の非常用制御回路１４内に設けられる。この場合、非常時に停電灯１８及びインターホン１９等を制御する従来の回路に簡易回路を追加するだけで、ドアモータ２のダイナミックブレーキ制御を実施可能となる。
【００４２】
実施の形態２．
以下、実施の形態２について説明する。実施の形態１と重複する説明は適宜省略する。
【００４３】
図４は、実施の形態２におけるエレベーターのドア制御装置を示す全体構成図である。
【００４４】
図４に示すように、動力電源１とコンバーター回路３の間には、ドア制御装置遮断スイッチ２０が設けられている。ドア制御装置は、運転モード切換スイッチ２１を備える。
【００４５】
ドア制御装置遮断スイッチ２０が切り換えられると、動力電源１からドア制御装置への電力供給が遮断される。ドア制御装置遮断スイッチ２０は、例えば、かご周りの保守作業時などに使用される。
【００４６】
停電検出回路９は、ドア制御装置遮断スイッチ２０が使用された場合にも、動力電源１が消失したことを検出する。
【００４７】
運転モード切換スイッチ２１は、例えば、ドア制御装置の運転モードを自動運転モード又は保守モードに切り換えるために使用される。運転モード切換スイッチ２１の状態は、ドアダイナミックブレーキ制御回路１５によって取得される。
【００４８】
ドアダイナミックブレーキ制御回路１５は、運転モード切換スイッチ２１が保守モード時の状態でない場合、ドア制御回路６からダイナミックブレーキ駆動指令信号を受信すると、短絡回路１３を動作させる。
【００４９】
ドアダイナミックブレーキ制御回路１５は、運転モード切換スイッチ２１が保守モード時の状態である場合、ドア制御回路６からダイナミックブレーキ駆動指令信号を受信しても、短絡回路１３を動作させない。
【００５０】
以上で説明した実施の形態２によれば、ドアダイナミックブレーキ制御回路１５は、運転モード切換スイッチ２１が保守モード時の状態である場合にはダイナミックブレーキ制御を実施しない。つまり、運転モード切換スイッチ２１により運転モードが保守モードに切り換えられていれば、保守作業時に扉が中間位置にある状態でドア制御装置遮断スイッチ２０により動力電源１が消失したとしても、ダイナミックブレーキ制御は実施されない。このため、扉の開閉状態に関わらず、保守作業時にはダイナミックブレーキが有効にならないドア制御装置を実現できる。その結果、扉を手動で開閉する保守作業者に余分な負担をかけることを防止できる。
【００５１】
なお、実施の形態１及び２における短絡回路１３は、例えば、ドアモータ２の相間を短絡させるものでなくともよい。例えば、平滑電解コンデンサー４の電荷が短時間で０になり得る場合、短絡回路１３は、モータ相間でなくコンバーター回路３の母線間を短絡する１素子だけの構成としてもよい。
【産業上の利用可能性】
【００５２】
以上のように、この発明は、ダイナミックブレーキ制御を実施可能なエレベーターのドア制御装置に利用できる。
【符号の説明】
【００５３】
１  動力電源
２  ドアモータ
３  コンバーター回路
４  平滑電解コンデンサー
５  インバーター回路
６  ドア制御回路
７  戸全閉検出回路
８  ドア制御電源
９  停電検出回路
１０  非常用バッテリー
１１  非常用制御電源
１２  切換回路
１３  短絡回路
１４  非常用制御回路
１５  ドアダイナミックブレーキ制御回路
１６  停電灯制御回路
１７  インターホン制御回路
１８  停電灯
１９  インターホン
２０  ドア制御装置遮断スイッチ
２１  運転モード切換スイッチ
【図１】
2020110176.tif 000003
【図２】
2020110176.tif 000004
【図３】
2020110176.tif 000005
【図４】
2020110176.tif 000006
【国際調査報告】
2020110176.tif 000007
2020110176.tif 000008
2020110176.tif 000009
2020110176.tif 000010